【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない、正の屈折力を有する第１レンズ群と、変倍のために移動する、負の屈折力を有する第２レンズ群と、変倍のために移動する少なくとも１つのレンズ群と、絞りと、変倍のためには移動しない、正の屈折力を有する固定レンズ群と、を含むズームレンズであって、
前記第１レンズ群は物体側から像側へ順に、
合焦のためには移動しない第１１レンズ群と、
無限遠物体から近距離物体への合焦のために物体側に移動する、正の屈折力を有する第１２レンズ群と、
合焦のために移動する、正の屈折力を有する第１３レンズ群と、
を有し、
前記第１２レンズ群は、像側に凸面を向けた、負の屈折力を有するメニスカスレンズを有し、
前記第１２レンズ群と前記第１３レンズ群とは、無限遠物体から近距離物体への合焦のために、互いに異なる軌跡で移動する、
ことを特徴とするズームレンズ。
【請求項２】
前記メニスカスレンズの屈折力をφ１２ｎとし、前記第１２レンズ群の屈折力をφ１２として、条件式
−０．２０＜φ１２ｎ／φ１２＜−０．６０
を満足することを特徴とする請求項１に記載のズームレンズ。
【請求項３】
前記第１２レンズ群の屈折力をφ１２とし、前記第１３レンズ群の屈折力をφ１３とし、前記第１レンズ群の屈折力をφ１として、条件式
０．４０＜φ１２／φ１＜０．８０
０．２０＜φ１３／φ１＜０．６０
０．５０＜φ１２／φ１３＜３．００
を満足することを特徴とする請求項１又は２に記載のズームレンズ。
【請求項４】
前記メニスカスレンズの物体側の曲率半径をＲ１とし、前記メニスカスレンズの像側の曲率半径をＲ２として、条件式
３．００＜（Ｒ２＋Ｒ１）／（Ｒ２−Ｒ１）＜６．００
を満足することを特徴とする請求項１乃至３のうちいずれか１項に記載のズームレンズ。
【請求項５】
広角端での焦点距離をｆｗｉｄｅとし、望遠端での焦点距離をｆｔｅｌｅとして、条件式
１５．００＜ｆｔｅｌｅ／ｆｗｉｄｅ＜２５．００
を満足することを特徴とする請求項１乃至４のうちいずれか１項に記載のズームレンズ。
【請求項６】
前記第１３レンズ群は、無限遠物体から近距離物体への合焦のために物体側に移動することを特徴とする請求項１乃至５のうちいずれか１項に記載のズームレンズ。
【請求項７】
請求項１乃至６のうちいずれか１項に記載のズームレンズと、
前記ズームレンズの像面に配された撮像素子と、
を有することを特徴とする撮像装置。
【手続補正２】
【補正対象書類名】明細書
【補正対象項目名】発明の名称
【補正方法】変更
【補正の内容】
【発明の名称】ズームレンズおよび撮像装置
【手続補正３】
【補正対象書類名】明細書
【補正対象項目名】０００１
【補正方法】変更
【補正の内容】
【０００１】
本発明は、ズームレンズおよび撮像装置に関するものである。
【手続補正４】
【補正対象書類名】明細書
【補正対象項目名】０００７
【補正方法】変更
【補正の内容】
【０００７】
本発明は、例えば、全ズーム領域および全フォーカス領域での高い光学性能、および小型軽量の点で有利なズームレンズの提供を目的とする。
【手続補正５】
【補正対象書類名】明細書
【補正対象項目名】０００８
【補正方法】変更
【補正の内容】
【０００８】
上記目的を達成するために、本発明のズームレンズは、物体側から像側へ順に、変倍のためには移動しない、正の屈折力を有する第１レンズ群と、変倍のために移動する、負の屈折力を有する第２レンズ群と、変倍のために移動する少なくとも１つのレンズ群と、絞りと、変倍のためには移動しない、正の屈折力を有する固定レンズ群と、を含むズームレンズであって、前記第１レンズ群は物体側から像側へ順に、合焦のためには移動しない第１１レンズ群と、無限遠物体から近距離物体への合焦のために物体側に移動する、正の屈折力を有する第１２レンズ群と、合焦のために移動する、正の屈折力を有する第１３レンズ群と、を有し、前記第１２レンズ群は、像側に凸面を向けた、負の屈折力を有するメニスカスレンズを有し、前記第１２レンズ群と前記第１３レンズ群とは、無限遠物体から近距離物体への合焦のために、互いに異なる軌跡で移動する、ことを特徴とする。
【手続補正６】
【補正対象書類名】明細書
【補正対象項目名】０００９
【補正方法】変更
【補正の内容】
【０００９】
本発明によれば、例えば、全ズーム領域および全フォーカス領域での高い光学性能、および小型軽量の点で有利なズームレンズを得ることができる。
【手続補正７】
【補正対象書類名】明細書
【補正対象項目名】００８９
【補正方法】変更
【補正の内容】
【００８９】
（数値実施例１）
単位 mm
面データ
面番号       r        d      nd         vd       有効径
1      -2676.877    2.50   1.80518    25.4       83.56
2        206.698    7.23                         81.15
3       2182.115    2.50   1.80100    35.0       80.03
4        434.752    6.38   1.43387    95.1       79.28
5       -298.198    0.20                         78.91
6        755.007    4.11   1.43387    95.1       77.38
7       -386.897    8.66                         77.02
8      -2043.707    8.40   1.43387    95.1       76.12
9       -105.255    2.79                         75.48
10        -80.393    2.40   1.74950    35.3       74.96
11       -137.961    0.15                         74.95
12        205.695    5.37   1.59522    67.7       71.14
13       -689.638    0.20                         70.58
14        763.147    5.88   1.59522    67.7       69.14
15       -166.515    0.47                         68.65
16         49.429    5.30   1.76385    48.5       57.10
17         80.503  (可変)                         55.88
18*       250.617    1.07   2.00330    28.3       25.88
19         15.777    5.11                         21.29
20       -337.514    7.20   1.80809    22.8       21.04
21        -13.903    0.81   1.88300    40.8       20.66
22         47.703    0.23                         20.37
23         31.306    2.98   1.76182    26.5       20.65
24        517.244  (可変)                         20.48
25        -20.456    0.75   1.75700    47.8       16.62
26         67.398    5.06   1.84649    23.9       18.19
27        -77.054  (可変)                         19.94
28       -137.948    4.19   1.64000    60.1       25.70
29        -44.112    0.15                         26.93
30         84.287    3.39   1.51633    64.1       28.11
31       -149.579  (可変)                         28.28
32(絞り)    ∞       0.74                         28.47
33         46.700    3.50   1.58913    61.1       28.65
34        106.519    2.00   1.95375    32.3       28.22
35         76.620   30.67                         27.73
36         32.555    4.33   1.48749    70.2       25.70
37      -1403.873    0.20                         25.18
38        275.626    1.00   1.88300    40.8       24.92
39         19.335    6.86   1.49700    81.5       23.51
40       -216.574    0.18                         23.52
41         43.749    7.40   1.54814    45.8       23.42
42        -22.627    1.00   1.88300    40.8       23.09
43        243.930    2.12                         23.82
44         49.770    7.28   1.48749    70.2       25.21
45        -30.568    4.50                         25.46
46          ∞      33.00   1.60859    46.4       40.00
47          ∞      13.20   1.51633    64.1       40.00
48          ∞       7.21                         40.00
像面        ∞   
非球面データ
第18面
K = 1.70731e+002  A 4= 9.28346e-006  A 6=-1.76629e-008  A 8= 5.54259e-011  A10=-3.10285e-013  A12= 7.67821e-016  
各種データ
ズーム比     15.92 
焦点距離       9.00    12.69    33.24    78.02   143.25  
Fナンバー      1.90     1.90     1.89     1.90     2.51  
半画角        31.43    23.43     9.39     4.03     2.20  
像高           5.50     5.50     5.50     5.50     5.50  
レンズ全長   280.33   280.33   280.33   280.33   280.33  
BF             7.21     7.21     7.21     7.21     7.21  
d17            1.32    12.86    34.57    45.69    50.02  
d24           44.55    34.38    12.01     5.54     4.39  
d27            8.58     9.87    12.45     9.14     1.67  
d31            7.18     4.52     2.59     1.26     5.55  
d48            7.21     7.21     7.21     7.21     7.21  
入射瞳位置      61.51      84.85     189.09     379.60     596.38  
射出瞳位置  -14878.91  -14878.91  -14878.91  -14878.91  -14878.91  
前側主点位置    70.50      97.53     222.26     457.21     738.25  
後側主点位置    -1.79      -5.48     -26.04     -70.81    -136.04  
ズームレンズ群データ
群  始面    焦点距離  レンズ構成長  前側主点位置  後側主点位置
1    1      68.70        62.55        41.66         -0.46
2   18     -15.70        17.40         0.77        -11.16
3   25     -42.70         5.81        -1.52         -4.85
4   28      50.84         7.74         3.58         -1.32
5   32      52.44       117.99        52.26        -53.18
フォーカス群の至近距離時での繰り出し量
群  始面 終面   繰り出し量
1    8    15     -8.17
1    16   17     -4.50
単レンズデータ
レンズ  始面  焦点距離
1       1   -236.03
2       3   -673.68
3       4    407.73
4       6    588.76
5       8    254.79
6      10   -260.00
7      12    265.85
8      14    229.38
9      16    155.32
10      18    -16.68
11      20     17.58
12      21    -12.05
13      23     43.24
14      25    -20.55
15      26     42.75
16      28     99.19
17      30    104.54
18      33    137.62
19      34   -293.76
20      36     65.11
21      38    -23.46
22      39     35.96
23      41     28.18
24      42    -23.27
25      44     39.90
26      46      0.00
27      47      0.00